(57)【要約】【課題】コントロールユニットからカメラユニットの制御を同軸ケーブルのみで制御可能な電源重畳型のテレビジョンカメラ装置を提供する。    【解決手段】カメラ同期信号発生回路７で生成される信号に同期した信号を同期信号発生回路２６で発生させ、カメラユニット１では、その信号とカメラ同期信号発生回路７で生成された信号から、論理回路１０にて、ＯＮ／ＯＦＦの信号がつくられる。  よって、外部からの制御により同期信号発生回路２６からの出力信号の有無をコントロールすることで、カメラユニット内の制御も可能となることから、カメラコントロールユニット２１とカメラユニット１間が離れていても専用線なしで遠隔操作が可能な操作性に優れ、コストも低減できる。【選択図】図１
2015154387.tif 000002
【特許請求の範囲】
【請求項１】
ＤＣ電源回路２２で生成された電圧に映像信号を重畳する重畳回路２３と重畳された映像信号からＤＣ電圧を分離する電源分離回路２４と映像信号から同期信号を分離する同期分離回路２５と同期分離回路２５で分離したリセット信号をクロックカウンターのリセットに用い特定の位相の同期信号を発生させる同期信号発生回路２６を有するコントロールユニット２１と、
レンズ２で得られた光を電気信号に変換する撮像素子４と撮像素子４の信号をテレビ用の信号に処理する映像信号処理回路５とコントロールユニット２１から供給されるＤＣ電源と映像信号を分離しカメラユニット１用の電源に使用する電源分離回路６と映像信号とＤＣ電源および同期信号発生回路２６の信号がすべて多重された多重映像信号８から同期信号発生回路２６の信号を分離するカメラ同期分離回路９と映像信号処理回路５で必要な同期信号をおよび同期信号発生回路２６と同位相の同期信号を発生させるカメラ同期信号発生回路７とカメラ同期信号発生回路７およびカメラ同期分離回路９の信号の有無からＯＮ／ＯＦＦの信号を生成する論理回路１０と論理回路１０の出力信号によってカメラ用の照明のＯＮ／ＯＦＦをコントロール可能な照明用ＬＥＤ３とからなるカメラユニット１と、で構成され、
カメラユニット１とコントロールユニット２１間の映像信号，ＤＣ電圧，カメラ用の照明のＯＮ／ＯＦＦを汎用の同軸ケーブル１１で接続可能にすることを特徴とするテレビジョンカメラ装置。
【請求項２】
前記カメラユニット１の論理回路の出力信号を映像信号処理回路５の機能のＯＮ／ＯＦＦ制御に使用することを特徴とする請求項１に記載のテレビジョンカメラ装置。
【請求項３】
前記同期分離回路２５で得られたリセット信号を同期信号発生回路２６で発生される同期信号と位相比較することでＰＬＬ回路を構成し、同期信号発生回路２６とカメラ同期信号発生回路７の出力信号の位相を同位相に保つことを特徴とする請求項１又は請求項２に記載のテレビジョンカメラ装置。
【請求項４】
前記同期信号発生回路２６の出力信号を一つの映像信号のブランキング期間に複数個発生させ、カメラ同期信号発生回路７においても同期信号発生回路２６の出力と同様の複数の同期信号を発生可能にすることで、カメラユニット１内のＯＮ／ＯＦＦ制御を複数同時に行うことを可能にしたことを特徴とする請求項１，請求項２，請求項３のいずれかに記載のテレビジョンカメラ装置。
【発明の詳細な説明】
【技術分野】
【０００１】
本発明は、カメラユニットとコントロールユニットを有するテレビジョンカメラ装置におけるカメラユニットの制御回路構成に関するものである。          
【背景技術】
【０００２】
従来のテレビジョンカメラ装置の全体構成図を図６に示す。この図において、カメラユニット１内の照明用ＬＥＤ３の制御は、多重映像信号８とは分離され個別の制御になっている。カメラユニット１とコントロールユニット２１間は、通常数十メートル以上離れた場所に設置されるため、カメラユニット内の制御をコントロールする場合、汎用同軸ケーブルとは別の制御線を用意するか、カメラユニットを直接操作するしか手段がなく、作業性を悪化させる要因の一つになっていた。また汎用同軸ケーブルとは別の制御線を用意することでコストアップの要因の一つでもある。
テレビジョンカメラ装置で電源と映像信号を多重したテレビジョンカメラ装置の同期信号を使用した既出願特許としては特許文献１などがある。本例は基本的に図６に代表される。
【先行技術文献】
【特許文献】
【０００３】
【特許文献１】特開  H５−２６０３６５号公報
【発明の概要】
【発明が解決しようとする課題】
【０００４】
従来のＤＣ電源を映像信号に重畳したテレビジョンカメラ装置では、前述のようにカメラユニットとコントロールユニット間は、映像信号を重畳したＤＣ電源の伝送であるため、カメラユニット内の機能のＯＮ／ＯＦＦ制御をコントロールユニット側から操作することはできない。また、操作する場合は、別の制御線が必要になってしまう。
【０００５】
本発明は、従来の電源重畳型のテレビジョンカメラ装置におけるカメラユニットの制御が抱えている問題を解決することにより、作業性に優れコストの上昇も抑えたテレビジョンカメラ装置を提供することを目的とする。
【課題を解決するための手段】
【０００６】
上記の目的を達成するために本発明では、テレビジョンカメラ装置において、ＤＣ電源回路２２で生成された電圧に映像信号を重畳する重畳回路２３と重畳された映像信号からＤＣ電圧を分離する電源分離回路２４と映像信号から同期信号を分離する同期分離回路２５と同期分離回路２５で分離したリセット信号をクロックカウンターのリセットに用い特定の位相の同期信号を発生させる同期信号発生回路２６を有するコントロールユニット２１と、レンズ２で得られた光を電気信号に変換する撮像素子４と撮像素子４の信号をテレビ用の信号の処理する映像信号処理回路５とコントロールユニット２１から供給されるＤＣ電源と映像信号を分離しカメラユニット１用の電源に使用する電源分離回路６と映像信号とＤＣ電源および同期信号発生回路２６の信号がすべて多重された多重映像信号８から同期信号発生回路２６の信号を分離するカメラ同期分離回路９と映像信号処理回路５で必要な同期信号をおよび同期信号発生回路２６と同位相の同期信号を発生させるカメラ同期信号発生回路７とカメラ同期信号発生回路７およびカメラ同期分離回路９の信号の有無からＯＮ／ＯＦＦの信号を生成する論理回路１０と論理回路１０の出力信号によってカメラ用の照明のＯＮ／ＯＦＦをコントロール可能な照明用ＬＥＤ３からなるカメラユニット１から構成され、カメラユニット１とコントロールユニット２１を汎用の同軸ケーブル１１で接続可能にした（請求項１）。
【０００７】
この際にカメラユニット１の論理回路の出力信号を映像信号処理回路５の機能のＯＮ／ＯＦＦ制御に使用することも可能である。（請求項２）。
【０００８】
同期信号発生回路２６とカメラ同期信号発生回路７の出力信号の位相を同位相に保つ方法としては、同期分離回路２５で得られたリセット信号を同期信号発生回路２６で発生される同期信号と位相比較することでＰＬＬ回路を構成し、同期信号発生回路の原発信に電圧制御発振器を用い、ＰＬＬ回路の出力電圧で制御する方法がある（請求項３）。
【０００９】
また、同期信号発生回路２６の出力信号を一つの映像信号のブランキング期間に複数個発生させ、カメラ同期信号発生回路７においても同期信号発生回路２６の出力と同様の複数の同期信号を発生可能にすることで、カメラユニット１内のＯＮ／ＯＦＦ制御を複数同時に行うことを可能にする（請求項４）。
【発明の効果】
【００１０】
ＤＣ電源を映像信号に重畳したテレビジョンカメラ装置において、ＤＣ電源電圧，映像信号，同期信号を一つの信号に多重し、カメラユニット1とコントロールユニット21間を伝送することで、カメラユニット内の機能のＯＮ／ＯＦＦ制御に専用線を用いる必要が無く、作業性に優れコストの上昇も抑えたテレビジョンカメラ装置を提供することが可能となる。
【図面の簡単な説明】
【００１１】
【図１】本発明のテレビジョンカメラ装置のブロック図
【図２】同期分離回路２５の例を示す図
【図３】同期信号発生回路２６の例を示す図
【図４】カメラ同期分離回路９の例を示す図
【図５】論理回路１０例を示す図
【図６】従来のテレビジョンカメラ装置のブロック図
【発明を実施するための形態】
【００１２】
以下、図面に示す発明を実施するための形態を詳細に説明する。
【実施例】
【００１３】
図１を参照して、本発明の実施例を説明する。この図において、カメラユニット１内のレンズ２，撮像素子４、映像信号処理回路５，電源分離回路６，照明用ＬＥＤ３またコントロールユニット２１内のＤＣ電源回路２２，重畳回路２３，電源分離回路２４は、図２に示す従来技術と同等である為詳しい説明を省略し、同期分離回路２５，同期信号発生回路２６，カメラ同期分離回路９，カメラ同期信号発生回路７，論理回路１０について説明する。
【００１４】
カメラユニットの源発振は、カメラ同期信号発生回路７で生成され、映像信号処理回路８において映像と複合同期信号（ＳＹＮＣ）によりコンポジット信号として出力され、コントロールユニット２１へ送られる。
コントロールユニット２１では、同期分離回路２５により、ＳＹＮＣが分離され、またＳＹＮＣよりフレーム信号が分離される。実際は、市販の同期分離ＩＣ等を用いることで、フレーム信号の出力が可能である。同期信号発生回路２６では、このフレーム信号をリセットに用い信号を発生させることで、カメラ同期信号発生回路７との位相関係を保つ。
同期信号発生回路２６では、映像信号内のブランキング期間にある特定位相の同期信号を発生させ、重畳回路２３において、映像信号，ＤＣ電源と一緒に重畳させる。
【００１５】
一方、カメラユニット１においては、カメラ同期分離回路９において、同期信号発生回路２６の信号を多重映像信号８から分離させる。また、同期信号発生回路７においては、映像信号処理回路５で使用される同期信号以外に、同期信号発生回路２６と同位相の信号を出力させる。
論理回路１０では、カメラ同期分離回路９およびカメラ同期信号発生回路７の信号のアンド条件より、両同期信号がある場合にＨＩまたはＬＯＷの信号を出力させる。
【００１６】
よって、外部からの制御により同期信号発生回路２６からの出力信号の有無をコントロールすることで、カメラユニット内の制御も可能となる。
【００１７】
本発明の装置で使用した同期分離回路２５の詳細ブロックを図２に示す。
同期分離回路２５の例は、ＤＣ成分をカットするコンデンサ３１と市販の同期分離ＩＣ３２（たとえばＬＭ１８８１）で実現することが出来、同期分離ＩＣ３２から同期信号発生回路２６のリセット信号であるフレーム信号を得ることができる。
【００１８】
同期信号発生回路２６の詳細ブロックを図３に示す。
同期信号発生回路２６は、クロックを生成するＸＴＡＬ３４とそのクロックによりカメラの同期信号をカウントするカウンター３５，また特定位相の同期信号を生成するデコーダー３５およびその同期信号のＯＮ／ＯＦＦを制御するアンドゲート３６から構成される。カウンター３３，デコーダー３５，アンドゲートＡ３６は市販の論理ＩＣを使用する以外にＦＰＧＡ（field-programmable gate array）においても簡単に実現できる。
【００１９】
カメラ同期分離回路９の詳細ブロックを図５に示す。
またカメラ同期分離回路９は、ＳＹＮＣ部と映像信号部を基準電圧３８をもとにコンパレータ４０で分離し、カメラ同期信号発生回路９より出力されるブランキングパルスを用いて、アンドゲートＢ４０にてゲートをかければよい。
【００２０】
論理回路１０の詳細ブロック図を図６に示す。
論理回路１０においては、カメラ同期分離回路９の出力信号およびカメラ同期信号出力回路７の信号のより、アンドゲートＣ４１において、アンド条件をとり、両信号があった場合のみモノステーブルマルチバイブレータにより、ＨＩまたはＬＯＷの信号に変換する。
【００２１】
これらの図２、図３、図４、図５に示す回路はすべて汎用のＩＣ等で実現でき、高価なＩＣ等を使用しない為、照明用ＬＥＤ３の制御等に専用線を使用する場合に比べはるかに安価である。カメラユニット１とコントロール２１間を実用上使用頻度の多い５０メートル離した場所で使用した場合において、コストは従来にくらべ１／１０に抑えることが出来た。
【産業上の利用可能性】
【００２２】
コントロールユニットからの遠隔操作が可能なテレビジョンカメラ装置として、セキュリティー分野に使用可能であるが、セキュリティー分野以外においても配管検査等の直接人間が操作できない場所における用途や放送分野，列車等における車載分野には最適である。
【符号の説明】
【００２３】
１：カメラユニット，２：レンズ，３：照明用ＬＥＤ，４：撮像素子，５：映像信号処理回路，６：電源分離回路，７：同期信号発生回路，８：多重映像信号，９：カメラ同期分離回路，１０：論理回路，１１：汎用同軸ケーブル，
２１：コントロールユニット、２２：ＤＣ電源回路、２３：重畳回路、
２４：電源分離回路，２５：同期分離回路，２６：同期信号発生回路，
３１：コンデンサ，３２：同期分離ＩＣ，３３：カウンター，３４：ＸＴＡＬ，３５：デコーダー，３６：アンドゲートＡ，３７：リファレンス電圧，
３８：コンパレータ，３９：アンドゲートＢ，４０：アンドゲートＣ，
４１： モノステーブルマルチバイブレータ。
【図１】
2015154387.tif 000003
【図２】
2015154387.tif 000004
【図３】
2015154387.tif 000005
【図４】
2015154387.tif 000006
【図５】
2015154387.tif 000007
【図６】
2015154387.tif 000008